(57)【要約】      （修正有）【課題】携帯性を損なうことなく、座面が沈み込むことのない携帯可能であり、さらにカバン類に収納するために、ほぼ平面状に変形して収納状態にすることができるおりたたみ可能な椅子を提供する。【解決手段】携帯可能なおりたたみ椅子１０は、主脚部２０と平面視Ｌ字状の第１の副脚部３０、平面視Ｌ字状の第２の副脚部４０と座部５０を有し、該主脚部２０の内側に空所２５を有するものであり、座部５０は主脚部２０に対して連結部５５を介して取り付けられており、座部５０は、板状を呈し、主脚部２０の空所２５に配置できる形状に構成されている。【選択図】図１
0003197667.tif 000002
【実用新案登録請求の範囲】
【請求項１】
携帯可能な折りたたみ椅子であって、前記携帯可能な折りたたみ椅子は、少なくとも空所を有する主脚部と座部と副脚部を有し、前記副脚部は、副脚上部と副脚側部を有するＬ字状を呈し、副脚上部を主脚部に対して回動可能に取り付け、収納時には、主脚部の内側に配置した空所に座部を配置し、副脚部は、主脚部の上部と側部に倣って配置し、使用時には、副脚部を主脚部に対しほぼ垂直に回動しつつ、座部を主脚部及び前記回動した副脚部の副脚上部に載置することで椅子とすることを特徴とする携帯可能な折りたたみ椅子。
【請求項２】
少なくとも副脚部を２つ有することを特徴とする請求項１記載の携帯可能な折りたたみ椅子。
【請求項３】
座部は主脚部に連結部を介して取り付けていることを特徴とする請求項１または２記載の携帯可能な折りたたみ椅子。
【考案の詳細な説明】
【技術分野】
【０００１】
本考案は、携帯することができる折りたたみ椅子に関するものである。
【背景技術】
【０００２】
従来の携帯可能な折りたたみ椅子は、金属製パイプを、上辺、底辺および両側辺からなる口の字状に加工し、それらを２つ組み合わせ、これら２つの口の字状の金属パイプにおけるそれぞれの両側辺中点付近を回動可能に取り付け、それら２つの口の字状の金属パイプを互いに展開した状態において側面視Ｘ字状を呈するものとし、その２つの口の字状の金属パイプそれぞれの上辺に柔軟性を有する布類を取り付け、側面視Ｘ字状に展開した状態において前記布類を展張することにより椅子として使用することができる携帯椅子である。
【０００３】
しかしながらこれは、側面視Ｘ字状に展開した２つの口の字状の金属パイプを側面視ほぼＩの字状に閉じることによって収納状態に折りたたむことができるものの、携帯性に乏しく、持ち歩く場合にかさばることになり不便である。これを解決するものとして、実開平０３−２１２４４号公報に携帯椅子が開示されている。
【０００４】
上記考案は、３本の支持パイプ１、２、３によって座面となるシート部材４を支承するようになした折りたたみ椅子であって、前記３本の支持パイプ１、２、３のうち任意の２本の支持パイプ１、２をＸ状に交叉させ、当該交叉点を回動自在に枢着すると共に、残余の１本の支持パイプ３を前記Ｘ状をなす２本の支持パイプ１、２のうちいずれか一方の支持パイプ１に回動自在に枢着し、前記Ｘ状をなす２本のパイプ１、２の上端部を、前記シート部材４の１側辺のコーナー部５、５付近に付設したポケット部６、６内に夫々挿着すると共に、残余の１本の支持パイプ３の上端部を、シート部材４の他側辺内に付設した横杆７のほぼ中央部に設けてある孔８内に挿着し、前記３本の支持パイプ１、２、３によってシート材４を支えるように構成したことを特徴とする折りたたみ椅子である。
【０００５】
上記考案に係る折りたたみ椅子は、１の支持パイプに他の支持パイプやシート部材を巻きつけることで、折りたたんだ収納状態にすることができるが、カバンなどに収納することはできない。すなわち、その収納状態における大きさはその１の支持パイプの長さより短くすることができない。したがって、カバン類に収納できる程度の大きさにするためには、上記１の支持パイプを短くしなければならないが、それでは、椅子そのものを小型化しなければならず座った際の快適性に劣ることになり、椅子としての機能を損なうおそれがある。
【０００６】
また、上記考案に係る折りたたみ椅子において、腰を掛けるためのシート部材は柔軟性を有するために、腰を掛ける際に腰が沈み、安定せず快適性に劣るおそれがある。
【先行技術文献】
【特許文献】
【０００７】
【特許文献１】実開平３−２１２４４号公報
【考案の開示】
【考案が解決しようとする課題】
【０００８】
本考案は前記の点に鑑みなされたもので、その課題は、収納時には携帯性を損なうことなく、腰を掛けるための座部が沈み込むことのない折りたたみ椅子を提供することを目的とする。特にカバン類に収納するために、ほぼ平面状に変形して携帯可能な状態にすることを目的とする。
【０００９】
前記の課題を解決するため、本考案は、携帯可能な折りたたみ椅子であって、前記携帯可能な折りたたみ椅子は、少なくとも空所を有する主脚部と座部と副脚部を有し、前記副脚部は、副脚上部と副脚側部を有するＬ字状を呈し、副脚上部を主脚部に対して回動可能に取り付け、収納時には、主脚部の内側に配置した空所に座部を配置し、副脚部は、主脚部の上部と側部に倣って配置し、使用時には、副脚部を主脚部に対しほぼ垂直に回動しつつ、座部を主脚部及び前記回動した副脚部の副脚上部に載置することで椅子にするという手段を講じたものである。
【００１０】
上記考案に係る携帯可能な折りたたみ椅子において携帯可能に折りたたんだ収納時には、この椅子全体形状をほぼ平面状に変形することができ、カバン類に収納することができる。特に、折りたたんだ状態の外形をＡ４サイズ（210ｍｍ × 297 ｍｍ）以内にすることで、いわゆるＡ４の書類に近いサイズになり、収納時において携帯性に優れた折りたたみ椅子とすることができる。また、座部は、一定の剛性を有する板状のものであって、収納時には主脚部の内側に配置された空所に収納することができる構成である。従って座部自体を変形させる必要がなく、剛性を有し、一定の強度を有するものを使用することができる。もっとも、折りたたんだ状態における椅子の外形をＡ４サイズ以内に限定する趣旨ではない。
【００１１】
前記の課題を解決するため、本考案は、少なくとも副脚部を２つ有するという手段を講じたものである。
【００１２】
主脚部と２つの副脚部を有することで、その２つの副脚部がそれぞれ回動して展開した場合に、前記主脚部と２つの副脚部によって座部を支えることができるので、安定して腰を掛けることができる。
【００１３】
前記の課題を解決するため、本考案は、座部は主脚部に連結部を介して取り付けていることを特徴とするという手段を講じたものである。座部を、連結部を介して主脚部に取り付けているので、主脚部と副脚部、座部及び連結部の各部材を一体として携帯することが可能となる。
【考案の効果】
【００１４】
本考案は以上のように構成され、かつ、作用するものであり、携帯性を損なうことなく、また、座面が沈み込むことのない携帯可能な折りたたみ椅子を提供することができる。特にカバン類に収納するために、ほぼ平面状に変形して収納状態にすることができるので極めて便利である。
【図面の簡単な説明】
【００１５】
【図１】第１実施例における携帯可能な折りたたみ椅子の収納状態の正面図
【図２】第１実施例における携帯可能な折りたたみ椅子の収納状態の背面図
【図３】第１実施例における携帯可能な折りたたみ椅子の収納状態の平面図
【図４】第１実施例における携帯可能な折りたたみ椅子とした場合の斜視図
【図５】第１実施例における携帯可能な折りたたみ椅子とした場合の底面斜視図
【図６】第２実施例における携帯可能な折りたたみ椅子の収納状態の正面図
【図７】第３実施例における携帯可能な折りたたみ椅子の収納状態の正面図
【図８】第４実施例における携帯可能な折りたたみ椅子の収納状態の正面図
【考案を実施するための最良の形態】
【００１６】
本実施例における携帯可能な折りたたみ椅子（以下、携帯椅子とする。）１０は、主脚部２０と第１の副脚部３０、第２の副脚部４０と座部５０を有する。前記主脚部２０は、上部２１、側部２２、２３、底部２４を有するものであり、前記上部２１、側部２２、２３、底部２４は一体として構成され平面視口の字状を呈するものである。この主脚部２０は、後述するように座部５０を収納すべく該主脚部２０の内側すなわち上部２１、側部２２、２３、底部２４に囲まれた内側に空所２５を有している。なお、本実施例における主脚部２０における底部２４は任意の構成とすることができる。したがって、主脚部２０は、後述するように座部５０を収納すべく該主脚部２０の内側すなわち上部２１、側部２２、２３で構成された空所を有することで座部５０を収納することも可能である。
【００１７】
第１の副脚部３０は、平面視Ｌ字状を呈し、副脚上部３１と副脚側部３２とを有しそれらが一体として構成されている。第１の副脚部３０を前記主脚部２０に取り付けた場合に、副脚上部３１は上部２１に沿うように構成され、副脚側部３２は、側部２２に沿うように構成している。
【００１８】
同様に、第２の副脚部４０は、平面視Ｌ字状を呈し、副脚上部４１と副脚側部４２とを有しそれらが一体として構成されている。第２の副脚部４０を前記主脚部２０に取り付けた場合に、副脚上部４１は上部２１に沿うように構成され、副脚側部４２は、側部２３に沿うように構成している。したがって、後述するように携帯椅子１０の収納時においては、主脚部２０に、第１の副脚部３０と第２の副脚部４０がほぼ倣うように配置することができる（図１、２参照）。
【００１９】
主脚部２０の上部２１に、前記第１の副脚部３０を取り付ける場合に、前記副脚上部３１の先端部３１ａを主脚部２０の上部２１における中心部から側部２２方向にずらした点において、螺子類Ｐにより回転可能に取り付ける。これにより第１の副脚部３０は主脚部２０において前記螺子類Ｐ周りに回動することができる。
【００２０】
同様に、主脚部２０の上部２１に、前記第２の副脚部４０を取り付ける場合に、前記副脚上部４１の先端部４１ａを主脚部２０の上部２１における中心部から側部２３方向にずらした点において、螺子類Ｐにより回転可能に取り付ける。これにより第２の副脚部４０は主脚部２０において前記螺子類Ｐ周りに回動することができる。このように主脚部２０の上部２１に、前記第１の副脚部３０と前記第２の副脚部４０を取り付けると、前記副脚上部３１の先端部３１ａと前記副脚上部４１の先端部４１ａの間に隙間を生じる。この隙間は、後述する連結部５５を取り付けた場合に、当該連結部５５と、副脚上部３１における先端部３１ａおよび前記副脚上部４１における先端部４１ａが接触しないように構成することが好ましい。
【００２１】
座部５０は、主脚部２０における上部２１に取り付けられた連結部５５を介して取り付けられている。座部５０は、板状を呈し、主脚部２０の空所２５に配置できる形状に構成されている。したがって座部５０は、空所２５の形状に倣うことが好ましい。また座部５０の裏面部５０ａに、係合部５１、５２を有する。また連結部５５は、本実施例では、蝶番を２つ連結した構成であるが、座部５０を主脚部２０の上部２１周りに移動することができればこれに限られないことは言うまでもない。例えば、連結部５５について柔軟性を有する帯状のものにすることも好ましい。
【００２２】
前記係合部５１は、第１の副脚部３０を螺子類Ｐ周りに回動し主脚部２０の上部２１に対してほぼ垂直となった状態において、第１の副脚上部３１と係合するための溝状を呈するものである。同様に、前記係合部５２は、第２の副脚部４０を螺子類Ｐ周りに回動し主脚部２０の上部２１に対してほぼ垂直となった状態において（図４、５参照）、第２の副脚上部４１と係合するための溝状を呈するものである。また、このような溝状の係合部５１について、第１の副脚上部３１の厚みと同様の深さにし、かつ、溝状の係合部５２について、第２の副脚上部４１の厚みと同様の深さにすれば、後述するように座部５０を、第１の副脚部３０と、第２の副脚部４０と、主脚部２０の上に載置する場合に、座部５０の裏面部５０ａと主脚部２０における上部２１と、第１の副脚部３０の副脚上部３１と座部５０における係合部５１の底部５１ａと、第２の副脚部４０の副脚上部４１と座部５０における係合部５２の底部５２ａが、それぞれ接することにより、座部５０ががたつくことなく安定して載置することができる（図３、４参照）。
【００２３】
また、主脚部２０と第１の副脚部３０、第２の副脚部４０と座部５０について、すべてをほぼ同じ幅にした場合において、携帯椅子１０として折りたたんだ状態にした場合、主脚部２０と第１の副脚部３０および第２の副脚部４０と座部５０が面一となり、ほぼ凸凹のない平面状を呈することができる（図１、２参照）。なお主脚部２０に対して、第１の副脚部３０あるいは、第２の副脚部４０の幅を小とすることを妨げるものではない。
【００２４】
なお、第１の副脚部３０における副脚側部３２の中央部に磁石３２ａを設けることができる。また、第２の副脚部４０においても同様に、副脚側部４２の中央部に磁石４２ａを設けることができる。この場合主脚部２０における対応する箇所に磁石２０ａ、２０ａを配置すれば、磁力が働き、主脚部２０に、第１の副脚部３０および第２の副脚部４０を固定することが可能となる。また、座部５０においてもその下端部に磁石５０ｂを配置し主脚部２０においてもそれに対応する位置に磁石２０ｂを配置すれば、座部５０を空所２５内に保持することが可能となる。もっとも、いずれか一方を磁石に吸引するもの例えば鉄類で構成しても好ましく、また、上記磁石を用いず座部５０を空所２５に嵌合するよう構成し、座部５０を空所２５内に保持することも可能である。
【００２５】
第２実施例に係る携帯椅子６０は、第１実施例に係る携帯椅子１０から連結部５５を有しないものとし、さらに座部６５を若干大とした構成である。よって、第１実施例と同様の構成については、同様に符号を付しその説明を省略する。第２実施例に係る携帯椅子６０において、収納時すなわち折りたたみ時には座部６５を、主脚部２０の内側に嵌合するように配置し、使用時には、主脚部２０から座部６５を取り出し、第１の副脚部３０と第２の副脚部４０を回動した状態にしたうえで、主脚部２０の上部２１と第１の副脚部３０の副脚上部３１と第２の副脚部４０の副脚上部４１の上に載置することで椅子として使用することができるというものである。
【００２６】
尚、第１実施例と同様に磁石６５ａと磁石２０ｂにより座部６５を空所２５内に配置することも可能である。もっとも、いずれか一方を磁石に吸引するもの例えば鉄類で構成しても好ましく、また、空所２５と座部６５が互いに嵌合するような寸法に構成されていても好ましい。例えば、空所２５から座部６５を取り出す場合に若干の抵抗を有するように座部６５をわずかに空所２５よりも大きく構成し、空所２５あるいは座部６５が、若干変形することにより空所２５に座部６５を嵌合することができ、座部６５を空所２５内に保持することも可能である。なお、図示しないが、座部６５と主脚部２０における側部２２、２３の空所２５に面する箇所に図示しない凸凹を有する構成とし互いに係合するという公知の構成であっても好ましい。また係合部６６、６７についても係合部５１、５２と同様であるので説明を省略する。
【００２７】
第３実施例、第４実施例ともに、第１実施例と同一の構成には同様の符号を付しその説明を省略する。第３実施例における携帯椅子７０における主脚部７５の空所７６は、ほぼ長楕円形状を呈している。したがって座部７７もその空所７６に収納されるほぼ長楕円形状を呈している。また、第１実施例と同様に座部７７における磁石７７ａと主脚部７５における磁石７５ｂにより座部７７を空所７６内に配置することも可能である。なお、第１の副脚部３０における副脚側部３２の中央部に設けた磁石３２ａと、第２の副脚部４０における、副脚側部４２の中央部に設けた磁石４２ａをそれぞれ、主脚部７５における対応する箇所に磁石７５ａ、７５ａを配置すれば、磁力が働き、主脚部７５に、第１の副脚部３０および第２の副脚部４０を固定することが可能となることも上記第１実施例と同様である。
【００２８】
また、第４実施例における携帯椅子８０における主脚部８５の空所８６は、ほぼ円形状を呈している。したがって座部８７もその空所８６に収納される円形状を呈している。尚、第１の副脚部９０における副脚側部９２の中央部に設けた磁石９２ａと、第２の副脚部９５における、副脚側部９７の中央部に設けた磁石９７ａをそれぞれ、主脚部８５における対応する箇所に磁石８５ａ、８５ａを配置すれば、磁力が働き、主脚部８５に、第１の副脚部９０および第２の副脚部９５を固定することが可能となることも上記第１実施例と同様である。
【００２９】
第１実施例に係る携帯椅子１０を使用する場合は、主脚部２０における側部２２及び側部２３の外側に配置した、第１の副脚部３０と第２の副脚部４０をそれぞれ、主脚部２０における上部２１に対してそれぞれほぼ垂直になるように螺子類Ｐ周り回動するとともに、座部５０を空所２５から取り出し、主脚部２０における上部２１と、第１の副脚部３０の副脚上部３１と、第２の副脚部４０の副脚上部４１の上に前記座部２５を載置する。このとき、前記副脚上部３１の先端部３１ａと前記副脚上部４１の先端部４１ａの間に連結部５５の幅以上の隙間を有するために連結部５５が干渉することなく座部５０を回動することができる。
【００３０】
座部５０の裏面部５０ａには、係合部５１、５２が配置されているために、第１の副脚部３０との副脚上部３１と第２の副脚部４０の副脚上部４１が前記係合部５１、５２にそれぞれ係合することで座部５０が固定される。座部５０は、木製、金属性あるいは合成樹脂を用いて作成することができ、一定の剛性を有するものである。したがって、携帯椅子、特に従来の折りたたみ椅子と比べ、腰を掛ける部分が布類などの柔軟性を有するものではないために腰を掛けても沈み込みがなく快適に座ることができる。
【００３１】
次に当該第１実施例に係る携帯椅子１０を折りたたむ収納時においては、上記と反対の手順を行う。すなわち、座部５０を持ち上げ、係合部５１、５２と副脚上部３１および副脚上部４１との係合を解除する。その後第１の副脚部３０と第２の副脚部４０をそれぞれ螺子類Ｐ周りに回動させ、主脚部２０における側部２２及び側部２３の外側に倣うように第１の副脚部３０と第２の副脚部４０をそれぞれ配置する。
【００３２】
その後座部５０を主脚部２０における上部２１周りに回動し、再び空所２５内に配置する。このとき上記のとおり、座部５０における磁石５０ｂと主脚部２０における磁石２０ｂが磁力により固定することで確実に空所２５の内側に座部５０を保持することができる。もっとも、座部５０が、空所２５に嵌合することで固定することもできる。
【００３３】
上記のように携帯椅子１０を折りたたむいわゆる収納した状態において、図１、２に示したように主脚部２０と第１の副脚部３０、第２の副脚部４０と座部５０がほぼ平面状になり、特に外形寸法をＡ４規格より若干小とすれば、Ａ４型のパーソナルコンピュターが収納できるように構成されているカバン類においては収納が容易となり持ち運びに好適である。なお第２実施例に係る携帯椅子６０についても同様である。さらに第３実施例に係る携帯椅子７０における主脚部７５の空所７６は、ほぼ長楕円形状を呈しているものの、外形寸法をＡ４規格より若干小とした場合においては上記と同様である。また、第４実施例における携帯椅子８０の主脚部８０の空所８６は、ほぼ円形状を呈している。したがって座部９０もその空所８６に収納される円形状を呈しているものであることは述べたとおりであるが、これらの使用状態及び収納状態への変形は上記と同様である。なお、携帯椅子１０、６０、７０、８０の収納時においてそれらを折りたたむといっても、携帯椅子１０、６０、７０、８０を構成する部材自体を変形させるものではないことは言うまでもない。
【符号の説明】
【００３４】
１０、第１実施例に係る携帯椅子
２０、７５、８５、主脚部
２１、上部
２２、２３、側部
２４、底部
２５、７６、８６、空所
３０、９０、第１の副脚部
３１、第１の副脚部における副脚上部
３２、９２、第１の副脚部における副脚側部
４０、９５、第２の副脚部
４１、第２の副脚部における副脚上部
４２、９７、第２の副脚部における副脚側部
５０、６５、７７、８７、座部
５５、連結部
６０、第２実施例に係る携帯椅子
７０、第３実施例に係る携帯椅子
８０、第４実施例に係る携帯椅子
【図１】
0003197667.tif 000003
【図２】
0003197667.tif 000004
【図３】
0003197667.tif 000005
【図４】
0003197667.tif 000006
【図５】
0003197667.tif 000007
【図６】
0003197667.tif 000008
【図７】
0003197667.tif 000009
【図８】
0003197667.tif 000010